(57)【要約】【課題】ロゴデータを画像処理による拡大縮小等を行うことなく、用紙サイズに合わせて、大きさを自動選択できるプリンタ制御装置を提供することにある。【解決手段】画像データをプリントする際、当該画像データと異なる所定データを挿入してプリントするためのプリント制御装置において、前記所定データを、プリントする用紙のサイズに応じて複数記憶した記憶手段と、使用する用紙サイズを認識する認識手段と、該認識手段によって認識された用紙サイズに応じて、前記画像データに挿入する前記所定データを前記記憶手段より自動選択する選択手段と、前記選択手段によって選択された前記所定データを、前記画像データに挿入してプリント画像データを生成する画像生成手段とを備える。【選択図】　　　図９
2004088550.tif 000002
【特許請求の範囲】
【請求項１】
画像データをプリントする際、当該画像データと異なる所定データを挿入してプリントするためのプリント制御装置において、
前記所定データを、プリントする用紙のサイズに応じて複数記憶した記憶手段と、
使用する用紙サイズを認識する認識手段と、
該認識手段によって認識された用紙サイズに応じて、前記画像データに挿入する前記所定データを前記記憶手段より自動選択する選択手段と、
前記選択手段によって選択された前記所定データを、前記画像データに挿入してプリント画像データを生成する画像生成手段と、
を備えたことを特徴とするプリンタ制御装置。
【請求項２】
画像データをプリントする際、当該画像データと異なる所定データを挿入してプリントするためのプリンタ制御装置において、
前記所定データを、プリントする用紙のサイズに応じて複数記憶した記憶手段と、
使用する用紙サイズを認識する認識手段と、
該認識手段によって認識された用紙サイズに応じて、前記画像データに挿入する前記所定データを前記記憶手段より自動選択する選択手段と、
前記選択手段によって選択された前記所定データを、前記画像に挿入してプリント画像データを生成する画像生成手段と、
前記生成手段によって生成された画像データをプリントするプリント手段と、を備えたことを特徴とするプリンタ制御装置。
【請求項３】
請求項１または２において、
前記所定データは、ロゴ、マーク等の付随画像データであることを特徴とするプリンタ制御装置。
【請求項４】
請求項３において、
前記所定データは、前記記憶手段に、前記画像データに対する挿入位置の情報とともに記憶されていることを特徴とするプリンタ制御装置。
【請求項５】
請求項３において、
前記所定データは、広告画像や、商標画像等を含むことを特徴とするプリンタ制御装置。
【請求項６】
請求項２において、
前記プリント手段は、デジタルカメラとプリンタ装置とをＵＳＢインターフェース等で接続、もしくは一体的に有する撮影装置付きプリンタであることを特徴とするプリンタ制御装置。
【請求項７】
請求項２において、
前記プリント手段は、用紙上に液体を吐出し、ドットにより文字または画像を記録するインクジェット式プリンタであることを特徴とするプリンタ制御装置。
【請求項８】
請求項１または２において、
前記認識手段によって認識される用紙サイズは用紙の縦横情報を含み、前記選択手段は前記認識手段によって認識された用紙の縦横情報に応じて前記所定データを自動選択することを特徴とするプリンタ制御装置。
【発明の詳細な説明】
【０００１】
【発明の属する技術分野】
本発明はデジタルスチルカメラやデジタルビデオカメラなどによって撮像された電子データを、プリント出力させるためのプリンタ制御装置に関するものである。
【０００２】
【従来の技術】
デジタルカメラ等で撮影した画像をプリントする手段には、ノズルから噴出させた小さな液滴を用紙に着弾させてプリントするインクジェット式プリンタや、複数の加熱素子からなるヘッドの熱でインクを昇華させて専用紙に付着させる熱昇華プリンタ等が挙げられる。
【０００３】
こうしたプリンタ装置には最近、フォトダイレクトプリンタと称し、デジタルカメラでの撮影データが格納されたメモリメディアを差込めるスロットを併せ持ち、メモリ中のデジタルフォトデータをプリントするシステムがある。
【０００４】
また、一方、デジタルカメラやデジタルビデオカメラなどの撮影機器をプリンタに直接的に接続したり、または一体的に構成して、撮影された画像情報をコンピューターなどの画像情報を処理する機器を介すことなくプリントするシステムも登場している。
【０００５】
このような、パソコンを用いずに、デジタルカメラで撮影した画像をプリントするシステムは、写真画像を簡単な手順でプリントアウトを行うことを可能にしている。
【０００６】
【発明が解決しようとする課題】
しかしながら、そうしたプリントシステムにおいて、プリントしようとする写真画像中に、ロゴデータ、マーク、イラスト、広告画像等のプリントコンテンツ等を挿入しようとした場合、それらを挿入してプリントする最適な方法が未だ採られていない。
【０００７】
すなわち、写真画像にロゴ等の付加データを挿入してプリントする方法自体は、既にいくつかの方法が実用化されているが、フォトダイレクトプリンタ等において、写真画像にロゴを挿入してプリントする方法は、用紙サイズを変えても同一のロゴデータがプリントされる方式であるため、ある用紙サイズのプリントに、ちょうど良い大きさのロゴを選んでも、用紙サイズを変えてしまうと、ロゴが大きすぎたり小さすぎたりしてしまう事があり、ユーザに十分な満足を与えるものとは言えなかった。
【０００８】
また、用紙サイズに合わせて、ロゴデータを拡大・縮小し掲載する方式も考えられるが、プリンタシステムに、その為の画像処理を行う仕組みを持つ必要があり、その分高価になってしまうという問題がある。
【０００９】
さらに用紙サイズに合わせて、ロゴデータを画像処理によって拡大・縮小すると、元のロゴ画像と比較して、画像品位が劣化したり、縦横のドット数の比率が微妙に変化してしまうことがあり、ロゴが商標としての価値を損なってしまう問題も抱えていた。
【００１０】
そこで、本発明の課題は、安価にかつ、上記の画像処理による問題を生じずに、用紙サイズに合わせて、ロゴの大きさを自動に選択できる方法を提供することを目的とするものである。
【００１１】
【課題を解決するための手段】
このような課題を解決するため、本願における請求項１に記載の発明によれば、画像データをプリントする際、当該画像データと異なる所定データを挿入してプリントするためのプリント制御装置において、前記所定データを、プリントする用紙のサイズに応じて複数記憶した記憶手段と、使用する用紙サイズを認識する認識手段と、該認識手段によって認識された用紙サイズに応じて、前記画像データに挿入する前記所定データを前記記憶手段より自動選択する選択手段と、前記選択手段によって選択された前記所定データを、前記画像データに挿入してプリント画像データを生成する画像生成手段とを備えたプリンタ制御装置を特徴とする。
【００１２】
また本願における請求項２に記載の発明によれば、画像データをプリントする際、当該画像データと異なる所定データを挿入してプリントするためのプリンタ制御装置において、前記所定データを、プリントする用紙のサイズに応じて複数記憶した記憶手段と、使用する用紙サイズを認識する認識手段と、該認識手段によって認識された用紙サイズに応じて、前記画像データに挿入する前記所定データを前記記憶手段より自動選択する選択手段と、前記選択手段によって選択された前記所定データを、前記画像に挿入してプリント画像データを生成する画像生成手段と、前記生成手段によって生成された画像データをプリントするプリント手段とを備えたプリンタ制御装置を特徴とする。
【００１３】
また本願における請求項１または２に記載の発明によれば、前記所定データは、ロゴ、マーク等の付随画像データであるプリンタ制御装置を特徴とする。
【００１４】
また本願における請求項４に記載の発明によれば、請求項３に記載の発明において、前記所定データは、前記記憶手段に、前記画像データに対する挿入位置の情報とともに記憶されたプリンタ制御装置を特徴とする。
【００１５】
また本願における請求項５に記載の発明によれば、請求項３に記載の発明において、前記所定データは、広告画像や、商標画像等を含むプリンタ制御装置を特徴とする。
【００１６】
また本願における請求項６に記載の発明によれば、請求項２に記載の発明において、前記プリント手段は、デジタルカメラとプリンタ装置とをＵＳＢインターフェース等で接続、もしくは一体的に有する撮影装置付きプリンタであるプリンタ制御装置を特徴とする。
【００１７】
また本願における請求項７に記載の発明によれば、請求項２に記載の発明において、前記プリント手段は、用紙上に液体を吐出し、ドットにより文字または画像を記録するインクジェット式プリンタであるプリンタ制御装置を特徴とする。
【００１８】
また本願における請求項８に記載の発明によれば、請求項１または２に記載の発明において、前記認識手段によって認識される用紙サイズは用紙の縦横情報を含み、前記選択手段は前記認識手段によって認識された用紙の縦横情報に応じて前記所定データを自動選択するプリンタ制御装置を特徴とする。
【００１９】
【発明の実施の形態】
以下、添付図面に従って本発明に係る実施形態を説明する。
【００２０】
図１は、本発明の実施の形態に係るフォトダイレクトプリンタ装置（以下、プリンタ）１０００の概観斜視図である。このプリンタ１０００は、ホストコンピュータ（ＰＣ）からデータを受信して印刷する通常のＰＣプリンタとしての機能と、メモリカードなどの記憶媒体に記憶されている画像データを直接読取って印刷したり、或いはデジタルカメラからの画像データを受信して印刷する機能を備えている。
【００２１】
図１において、本実施の形態に係るプリンタ１０００の外殻をなす本体は、ケースＭ１００１、上ケース１００２、アクセスカバー１００３及び排出トレイ１００４の外装部材を有している。また、下ケース１００１は、プリンタ１０００の略下半部を、上ケース１００２は本体の略上半部をそれぞれ形成しており、両ケースの組合せによって内部に後述の各機構を収納する収納空間を有する中空体構造をなし、その上面部及び前面部にはそれぞれ開口部が形成されている。さらに、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シートが排出可能となると共に、排出された記録シートを順次積載し得るようになっている。また、排紙トレイ１００４には、２枚の補助トレイ１００４ａ，１００４ｂが収納されており、必要に応じて各トレイを手前に引き出すことにより、用紙の支持面積を３段階に拡大、縮小させ得るようになっている。
【００２２】
アクセスカバー１００３は、その一端部が上ケース１００２に回転自在に保持され、上面に形成される開口部を開閉し得るようになっており、このアクセスカバー１００３を開くことによって本体内部に収納されている記録ヘッドカートリッジ（不図示）あるいはインクタンク（不図示）等の交換が可能となる。なお、ここでは特に図示しないが、アクセスカバー１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００２３】
また、上ケース１００２の上面には、電源キー１００５が押下可能に設けられている。また、上ケース１００２の右側には、液晶表示部１００６や各種キースイッチ等を備える操作パネル１０１０が設けられている。この操作パネル１０１０の構造は、図２を参照して詳しく後述する。１００７は自動給送部で、記録シートを装置本体内へと自動的に給送する。１００８は紙間選択レバーで、プリントヘッドと記録シートとの間隔を調整するためのレバーである。１００９はカードスロットで、ここにメモリカードを装着可能なアダプタが挿入され、このアダプタを介してメモリカードに記憶されている画像データを直接取り込んで印刷することができる。このメモリカード（ＰＣ）としては、例えばコンパクトフラッシュ（登録商標）メモリ、スマートメディア、メモリスティック等がある。１０１１はビューワ（液晶表示部）で、このプリンタ１０００の本体に着脱可能であり、ＰＣカードに記憶されている画像の中からプリントしたい画像を検索する場合などに、１コマ毎の画像やインデックス画像などを表示するのに使用される。１０１２は後述するデジタルカメラを接続するためのＵＳＢ端子である。また、このＰＤ装置１０００の後面には、パーソナルコンピュータ（ＰＣ）を接続するためのＵＳＢコネクタが設けられている。
【００２４】
図２は、本実施の形態に係るプリンタ１０００の操作パネル１０１０の概観図である。
【００２５】
同図において、液晶表示部１００６には、その左右に印刷されている項目に関するデータを各種設定するためのメニュー項目が表示される。ここに表示される項目としては、例えば、印刷したい範囲の先頭写真番号、指定コマ番号（開始コマ指定／印刷コマ指定）、印刷を終了した範囲の最後の写真番号（終了）、印刷部数（部数）、印刷に使用する用紙（記録シート）の種類（用紙種類）、１枚の用紙に印刷する写真の枚数設定（レイアウト）、印刷の品位の指定（品位）、撮影した日付を印刷するかどうかの指定（日付印刷）、写真を補正して印刷するかどうかの指定（画像補正）、印刷に必要な用紙枚数の表示（用紙枚数）等がある。これら各項目は、カーソルキー２００１を用いて選択、或いは指定される。２００２はモードキーで、このキーを押下する毎に、印刷の種類（インデックス印刷、全コマ印刷、１コマ印刷等）を切り替えることができ、これに応じてＬＥＤ２００３の対応するＬＥＤが点灯される。２００４はメンテナンスキーで、プリントヘッドのクリーニング等、プリンタのメンテナンスを行わせるためのキーである。２００５は印刷開始キーで、印刷の開始を指示する時、或いはメンテナンスの設定を確立する際に押下される。２００６は印刷中止キーで、印刷を中止させる時や、メンテナンスの中止を指示する際に押下される。
【００２６】
次に図３を参照して、本実施の形態に係るプリンタ１０００の制御に係る主要部の構成を説明する。尚、この図３において、前述の図面と共通する部分は同じ記号を付与して、それらの説明を省略する。
【００２７】
図３において、３０００は制御部（制御基板）を示している。３００１はＡＳＩＣ（専用カスタムＬＳＩ）を示し、その構成は図４のブロック図を参照して詳しく後述する。３００２はＤＳＰ（デジタル信号処理プロセッサ）で、内部にＣＰＵを有し、後述する各種制御処理及び、輝度信号（ＲＧＢ）から濃度信号（ＣＭＹＫ）への変換、スケーリング、ガンマ変換、誤差拡散等の画像処理等を担当している。３００３はメモリで、ＤＳＰ３００２のＣＰＵの制御プログラムを記憶するプログラムメモリ３００３ａ、及び実行時のプログラムを記憶するＲＡＭエリア、画像データなどを記憶するワークメモリとして機能するメモリエリアを有している。３００４はプリンタエンジンで、ここでは、複数色のカラーインクを用いてカラー画像を印刷するインクジェットプリンタのプリンタエンジンが搭載されている。
【００２８】
３００５はデジタルカメラ３０１２を接続するためのポートとしてのＵＳＢコネクタである。３００６はビューワ１０１１を接続するためのコネクタである。３００８はＵＳＢハブ（ＵＳＢ　ＨＵＢ）で、このプリンタ１０００がＰＣ３０１０からの画像データに基づいて印刷を行う際には、ＰＣ３０１０からのデータをそのままスルーし、ＵＳＢ３０２１を介してプリンタエンジン３００４に出力する。これにより、接続されているＰＣ３０１０は、プリンタエンジン３００４と直接、データや信号のやり取りを行って印刷を実行することができる（一般的なＰＣプリンタとして機能する）。３００９は電源コネクタで、電源３０１１により、商用ＡＣから変換された直流電圧を入力している。ＰＣ３０１０は一般的なパーソナルコンピュータ、３０１１は前述したメモリカード（ＰＣカード）、３０１２はデジタルカメラである。尚、この制御部３０００とプリンタエンジン３００４との間の信号のやり取りは、前述したＵＳＢ３０２１又はＩＥＥＥ１２８４バス３０２２を介して行われる。
【００２９】
図４は、ＡＳＩＣ３００１の構成を示すブロック図で、この図４においても、前述の図面と共通する部分は同じ記号を付与して、それらの説明を省略する。
【００３０】
４００１はＰＣカードインターフェース部で、装着されたＰＣカード３０１１に記憶されている画像データを読取ったり、或いはＰＣカード３０１１へのデータの書き込み等を行う。４００２はＩＥＥＥ１２８４インターフェース部で、プリンタエンジン３００４との間のデータのやり取りを行う。このＩＥＥＥ１２８４インターフェース部４００２は、デジタルカメラ３０１２或いはＰＣカード３０１１に記憶されている画像データを印刷する場合に使用されるバスである。４００３はＵＳＢインターフェース部で、ＰＣ３０１０との間でのデータのやり取りを行う。４００４はＵＳＢホストインターフェース部で、デジタルカメラ３０１２との間でのデータのやり取りを行う。４００５は操作パネル・インターフェース部で、操作パネル１０１０からの各種操作信号を入力したり、表示部１００６への表示データの出力などを行う。４００６はビューワ・インターフェース部で、ビューワ１０１１への画像データの表示を制御している。４００７は各種スイッチやＬＥＤ４００９等との間のインターフェースを制御するインターフェース部である。４００８はＣＰＵインターフェース部で、ＤＳＰ３００２との間でのデータのやり取りの制御を行っている。４０１０はこれら各部を接続する内部バス（ＡＳＩＣバス）である。
【００３１】
以上が本実施形態におけるダイレクトプリンタの構成の説明であり、以下かかる構成に基づく動作について説明する。
【００３２】
＜通常のＰＣプリンタモード＞
これはＰＣ３０１０から送られてくる印刷データに基づいて画像を印刷する印刷モードである。
【００３３】
このモードでは、ＰＣ３０１０からのデータがＵＳＢコネクタ１０１３（図３）を介して入力されると、ＵＳＢハブ３００８、ＵＳＢ３０２１を介して直接プリンタエンジン３００４に送られ、ＰＣ３０１０からのデータに基づいて印刷が行われる。
【００３４】
＜ＰＣカードからの直接プリントモード＞
ＰＣカード３０１１がカードスロット１００９に装着或いは脱着されると割り込みが発生し、これによりＤＳＰ３００２はＰＣカード３０１１が装着されたか或いは脱着（取り外された）されたかを検知できる。ＰＣカード３０１１が装着されると、そのＰＣカード３０１１に記憶されている圧縮された（例えばＪＰＥＧ圧縮）画像データを読込んでメモリ３００３に記憶する。その後、その圧縮された画像データを解凍して再度メモリ３００３に格納する。次に、操作パネル１０１を使用して、その格納した画像データの印刷が指示されると、ＲＧＢ信号からＹＭＣＫ信号への変換、ガンマ補正、誤差拡散等を実行してプリンタエンジン３００４で印刷可能な記録データに変換し、ＩＥＥＥ１２８４インターフェース部４００２を介してプリンタエンジン３００４に出力することにより印刷を行う。
【００３５】
＜カメラからの直接プリントモード＞
図５は本実施の形態に係るプリンタ１０００とデジタルカメラ３０１２とを接続する状態を示す図である。
【００３６】
図において、ケーブル５０００は、プリンタ１０００のコネクタ１０１２と接続されるコネクタ５００１と、デジタルカメラ３０１２の接続用コネクタ５００３と接続するためのコネクタ５００２とを備えており、また、デジタルカメラ３０１２は、内部のメモリに保存している画像データを、接続用コネクタ５００３を介して出力可能に構成されている。
【００３７】
なお、デジタルカメラ３０１２の構成としては、内部に記憶手段としてのメモリを備えるものや、取外し可能なメモリを装着するためのスロットを備えたものなど、種々の構成を採用することができる。このように、図５に示すケーブル５０００を介してプリンタ１０００とデジタルカメラ３０１２とを接続することにより、デジタルカメラ３０１２からの画像データを直接プリンタ１０００で印刷することができる。
【００３８】
ここで図５に示すように、プリンタ１０００にデジタルカメラ３０１２が接続され、ネゴシエーションの結果、ダイレクトプリントモードへ移行した場合は、操作パネル１０１０の表示部１００６にはカメラマークのみが表示され、操作パネル１０１０における表示及び操作が無効になり、又ビューワ１０１１への表示も無効になる。従って、これ以降はデジタルカメラ３０１２でのキー操作及びデジタルカメラ３０１２の表示部（不図示）への画像表示のみが有効になるので、ユーザはそのデジタルカメラ３０１２を使用して印刷指定を行うことができる。また、デジタルカメラ３０１２とプリンタの操作部とを同時に操作してしまうことに起因するエラーも防止できる。
【００３９】
さてここで本発明に関わる内容について更に詳細に述べる。本発明は、印刷したプリント用紙に、印刷の対象とするコンテンツのほかに、例えばメーカーのロゴや、所望のマーク、イラスト等の付随データを自動的に印刷するとともに、その大きさを印刷用紙に合わせて自動設定するようにしたものである。
【００４０】
一例として、ＰＣカードからの直接プリントモードすなわち、プリンタにメモリメディアを挿入するダイレクトプリント時を例にとって、実際に画像を印刷する場合について述べる。
【００４１】
図６はメモリ、ＣＰＵのブロック図である。６−１はロゴデータ等の付随画像を格納する領域、６−２はデジタルカメラ等で撮影された写真等の撮影画像データが格納される領域である。６−３は、画像演算を行うＣＰＵ、６−４は画像演算等を初めとする各種データ処理を行うためのワークメモリである。
【００４２】
また、メモリメディア内でのロゴデータの実際の格納方法を示したのが図７である。メモリメディア内には、撮影画像データを記憶した領域６−２の他に、プリント可能な各用紙サイズごとに、ロゴデータ等の付随データ及びその挿入位置を示す挿入位置データを格納テーブルの形で持つ。ここで言う挿入位置とは、図８に示すような写真画像に対してロゴを配置する座標を意味している。このメモリメディア内に記憶されたロゴデータのテーブルは本発明における記憶手段に相当する。
【００４３】
尚、ここでは説明の便宜上、ロゴデータが格納されているメディアと、写真が格納されているメディアを同一の物としているが、プリントシステム中の別々のメモリであっても構わない。
【００４４】
次に、実際に撮影画像データをプリントする際に、ロゴデータを自動的に選択して印刷する処理について、図９のフローチャートを用いて説明する。
【００４５】
同図において、ダイレクトプリントを行う際、まず、プリント指示を行うと（ｓｔｅｐ１）、ＣＰＵ６−３は、プリンタより、プリンタに装着された紙サイズの情報を受け取る（ｓｔｅｐ２）。この処理は、本発明における用紙サイズを認識する認識手段に相当し、この認識手段は、用紙そのもののサイズだけでなく、用紙の向き、すなわち縦横による用紙サイズの違いも、用紙サイズと同様に認識するものとする。
【００４６】
次に、ＣＰＵ６−３は、プリントすべき写真画像データをプリンタに装着され選択されている紙サイズ用にリサイズ処理しながらワークメモリ６−４上に展開する（ｓｔｅｐ３）。
【００４７】
次にｓｔｅｐ２で検出された用紙サイズにしたがい、実際に使用するプリント用紙の紙サイズを決定し（ｓｔｅｐ４）、その紙サイズに対応したロゴデータ及び挿入位置のデータを６−１のテーブルから読み出し、ワークメモリ６−４上の一部に展開する（ｓｔｅｐ５，ｓｔｅｐ６）。これらの処理は、本発明における用紙サイズに応じて適合するロゴデータを選択する選択手段に相当し、用紙そのもののサイズだけでなく、用紙の縦横に応じたロゴデータ及びその挿入方向及び挿入位置も適合するものを選択し、決定する。
【００４８】
そして、データの挿入場所の座標（Ｘ，Ｙ）の情報とともに、ロゴデータそのものから、ロゴの縦・横のサイズ情報も同時にプリンタへと渡される。
【００４９】
以上の情報を収集した上で、プリントする１画素ずつのデータを下記手順にしたがって作成する（ｓｔｅｐ７）。
【００５０】
用紙上において、ロゴがプリントされるべき領域か否かを、挿入場所の座標（Ｘ，Ｙ）、ロゴの縦・横のサイズ情報を元に判断し（ｓｔｅｐ８）、ロゴがプリントされるべき領域内の場合は、ロゴデータをプリンタに渡し（ｓｔｅｐ９）、ロゴの領域外の場合は写真データをプリンタに渡していく（ｓｔｅｐ１０）。これを写真内のすべての画素分について行うことで、ロゴが挿入された画像プリントを行う（ｓｔｅｐ１１）。この処理は、本発明におけるプリント用の画像生成手段及びプリント手段の処理に相当するものである。
【００５１】
メモリ上のロゴデータとしては、プリンタが解釈できる形式であれば、ファイルの種類は、ＪＰＥＧ画像ファイルや、ビットマップ等の広い形での応用が可能である。
【００５２】
また、以上の方式では、ロゴファイルデータを持たないメモリをプリンタに挿入した場合は、通常のダイレクトプリンタとして動作するので、現状のプリンタシステムに簡単に組み込めるメリットも合わせ持っている。
【００５３】
なお本発明は、複数の機器（例えばホストコンピュータ、インターフェース機器、リーダ、プリンタなど）から構成されるシステムに適用しても、一つの機器からなる装置（例えば、複写機、ファクシミリ装置など）に適用してもよい。
【００５４】
また本実施形態では、ＰＣカードからの直接プリントモードでの実施例を示したが、デジタルカメラとプリンタとがダイレクトに通信する場合にも応用が可能である。接続手段としてＵＳＢケーブルで直接接続する以外にも、例えばＢｌｕｅ−ｔｏｏｔｈのような無線通信によってもダイレクト通信が可能であるので、上記例により本発明が限定されるものではない。
【００５５】
【発明の効果】
以上のように、本発明によれば、メモリに記憶された画像データあるいは、デジタルカメラから直接読み込んだ画像データをプリントするシステムにおいて、写真の用紙サイズに合わせ、ロゴ等の付随データの大きさを自動的に選択し、適正な位置に適正なサイズで印刷することができる。
【００５６】
また用紙サイズに応じてロゴデータのサイズを変更する際、それ自体に拡大、縮小等の画像処理を行う必要がないため、ロゴ画像の画像品位が劣化したり、縦横のドット数の比率が微妙に変化したりしまう事が生じない為、ロゴ画像や、その他、プリントのコンテンツに関係なく用紙に印刷するデータの画質が、用紙サイズによって変化することなく、常に良好な品質を維持することができる。
【図面の簡単な説明】
【図１】本発明の実施の形態に係るプリンタの概観斜視図である。
【図２】本発明の実施の形態に係るプリンタの操作パネルの概観図である。
【図３】本発明の実施の形態に係るプリンタの制御に係る主要部の構成を示すブロック図である。
【図４】本発明の実施の形態に係るプリンタのＡＳＩＣの構成を示すブロック図である。
【図５】本発明の実施の形態に係るプリンタとデジタルカメラとを接続した状態を示す図である。
【図６】本発明の実施の形態に係るメモリ、ＣＰＵにまつわるブロック図である。
【図７】本発明の実施の形態に係るメモリ内でのロゴデータの持ち方を示す図である。
【図８】本発明の実施の形態に係る写真に対するロゴの挿入位置座標を示す図である。
【図９】本発明の実施の形態に係るロゴデータを選択するフローチャートである。
【符号の説明】
６−１　写真に挿入すべきロゴデータ
６−２　撮影された写真画像データ
６−３　画像演算処を行うＣＰＵ
６−４　ワークメモリ
６−５　メモリメディア
【図１】
2004088550.tif 000003
【図２】
2004088550.tif 000004
【図３】
2004088550.tif 000005
【図４】
2004088550.tif 000006
【図５】
2004088550.tif 000007
【図６】
2004088550.tif 000008
【図７】
2004088550.tif 000009
【図８】
2004088550.tif 000010
【図９】
2004088550.tif 000011